(57)【要約】【課題】  本発明は、アンテナ性能を安定させるとともに、組み付け性を向上させるアンテナ装置及びアンテナ装置用カバーの提供を目的とする。【解決手段】  樹脂で成型されたアンテナ素子１０，１１を内蔵するカバー１８を、アンテナ素子１０，１１をカバー側に内蔵させたことによって簡易な構造となった台座１４に組み付ける。アンテナ素子１０，１１を樹脂で成型しているので、折り曲げ加工が無くなることによる寸法精度のばらつきが無くなり、アンテナ性能を安定化させることができる。また、折れ曲がったアンテナ素子を台座に組み付ける方法に対し、組み付け点数を削減することができ、組み付け性が向上する。【選択図】  図４
2006109003.tif 000002
【特許請求の範囲】
【請求項１】
樹脂で成型されたアンテナ素子が取付けられた筐体を備えることを特徴とするアンテナ装置。
【請求項２】
前記アンテナ素子は前記筐体の内側に取付けられる請求項１記載のアンテナ装置。
【請求項３】
前記筐体は前記アンテナ素子が嵌合するように形成される請求項１または２記載のアンテナ装置。
【請求項４】
前記アンテナ素子と前記筐体は粘着体で固着される請求項１記載のアンテナ装置。
【請求項５】
前記筐体は回路基板を支える台座を覆うカバーである請求項１記載のアンテナ装置。
【請求項６】
前記筐体はグランドプレーンを覆うカバーである請求項１記載のアンテナ装置。
【請求項７】
樹脂で成型されたアンテナ素子を内蔵することを特徴とするアンテナ装置用カバー。
【発明の詳細な説明】
【技術分野】
【０００１】
本発明は、アンテナ素子を備えるアンテナ装置及びアンテナ装置用カバーに関する。
【背景技術】
【０００２】
従来、ＴＶ放送及びＦＭ放送を受信可能なアンテナ素子を備えた第１の筐体と、ＧＰＳ受信用アンテナを備えた第２の筐体を一体化させた車載用アンテナ装置が知られている（例えば、特許文献１）。本車載用アンテナ装置は、２つの筐体が回動可能に固着し、一体化していることを特徴としている。
【０００３】
また、従来技術として、線状や板状のアンテナ素子を備えるアンテナ装置において、小型化や低背化のために、図１に示されるように、線状のアンテナ素子１，２を折り曲げて使用することがある。
【特許文献１】特開平１１−１２２０２１号公報
【発明の開示】
【発明が解決しようとする課題】
【０００４】
しかしながら、上述の特許文献１に開示された技術では、２つの独立した筐体のそれぞれにアンテナ素子を配置させているので、アンテナ装置全体としての小型化や、部品点数の削減、組み付け性向上を図ることが困難である。
【０００５】
さらに、線状（板状）逆Ｆアンテナでは放射導体と地導体との間の距離がアンテナの帯域幅に影響を与え、帯域幅を広げるためにはアンテナの体積を大きくしたほうが有利である。しかし、インストルメントルパネル等の車室内には、アンテナ装置を搭載するスペースはほとんどなく、異種類のアンテナを統合する等、より一層のアンテナ装置の小型化や低背化が必要である。
【０００６】
また、従来技術の図１のように、線状のアンテナ素子１，２を折り曲げてアンテナ装置を製造する場合には、折り曲げ方法や折り曲げ精度のばらつきによっては周波数ずれの原因となって所望のアンテナ性能を満足できないことがある。そのばらつきを抑えるために、例えばスナップフィット３という固定部品を使用している。しかしながら、熱、振動、経年変化等によって応力による変形がアンテナ素子１，２に発生し、結果的には、所望のアンテナ性能が維持できなくなることもある。さらに、組み付け点数も多いため、量産効率にも影響を与える。
【０００７】
そこで、本発明は、アンテナ性能を安定させるとともに、組み付け性を向上させるアンテナ装置及びアンテナ装置用カバーの提供を目的とする。
【課題を解決するための手段】
【０００８】
上記課題を解決するため、本発明の一局面によれば、樹脂で成型されたアンテナ素子が取付けられた筐体を備えることを特徴とするアンテナ装置が提供される。
【０００９】
本局面によれば、成形性のよい樹脂でアンテナ形状を成型するので、所望のアンテナ素子の形状が複雑に折れ曲がった一本のアンテナであっても、折り曲げ加工をすることなく精度よく製造することができ、アンテナ性能が安定する。
【００１０】
また、前記アンテナ素子と前記筐体は粘着体で固着されてよい。これにより、アンテナ素子の組み付け点数を削減することができ、組み付け性が向上し、量産効率も上がる。
【００１１】
また、前記筐体は回路基板を支える台座を覆うカバーであってよい。これにより、従来技術の図１で示されるような複雑な台座４に対し。スナップフィット３等の固定部品の無い簡易な構成の台座にすることができ、台座１４のコストを下げることも期待できる。
【発明の効果】
【００１２】
本発明によれば、アンテナ性能を安定させるとともに、組み付け性を向上させることができる。
【発明を実施するための最良の形態】
【００１３】
以下、図面を参照して、本発明を実施するための最良の形態の説明を行う。
【００１４】
図３は、本発明のアンテナ装置で使用するアンテナ素子の一形態を示す図である。この線状のアンテナ素子１０，１１は、例えば、電話を受信可能にする。アンテナ素子１０，１１は、型を用いて所望のアンテナ形状に加工される。ある所定の形状や誘電率を持っていればアンテナとして機能するため、その型には樹脂が鋳込まれる。また、アンテナ素子の長さや形状に応じて受信可能な帯域幅が変わるので、樹脂であれば成形性も容易である。
【００１５】
したがって、所望のアンテナ素子の形状が複雑に折れ曲がった一本のアンテナであっても、折り曲げ加工をすることなく精度よく製造することができ、アンテナ性能が安定する。
【００１６】
図４は、本発明のアンテナ装置の一形態の構成を示す図である。カバー１８は、アンテナ素子１０，１１とカバー本体１７からなる。アンテナ素子１０，１１は、カバー本体１７の内側の両側にそれぞれ取付けられている。アンテナ素子１０，１１とカバー本体１８は、両面テープや接着剤等の粘着体によって固着される。カバー本体１７も樹脂であれば、両面テープや接着剤で十分にアンテナ素子１０，１１を固定することが可能である。
【００１７】
したがって、アンテナ素子の組み付け点数を削減することができ、組み付け性が向上し、量産効率も上がる。なお、組み付け性向上のために、カバー本体１７にアンテナ素子１０，１１の形状を形成し、その形成部にアンテナ素子１０，１１をはめ込んで固定するようにしてもよい。
【００１８】
また、本発明のアンテナ装置は、回路基板や他のアンテナ部品（例えば、ＧＰＳ用アンテナ）を支える台座１４を有する。回路基板上にはアンテナ素子１０，１１で通信した電話信号の整合回路やＧＰＳ受信信号を増幅する増幅回路等が実装されている。台座１４には、その回路基板を固定する留め具１５が設けられている。台座１４には、図１で示されるように、回路基板からアンテナ装置外にあるナビゲーション装置等（図示しない）に信号を伝達する同軸ケーブル用の溝６が備えられてもよい。しかし、カバー本体１７にアンテナ素子１０，１１を両面テープや接着剤等の簡易な手段で組み付けているので、台座１４にスナップフィット３等のアンテナ素子を固定する部品が不要になる。
【００１９】
したがって、従来技術の図１で示されるような複雑な台座４に対し簡易な構成の台座１４にすることができ、台座１４のコストを下げることも期待できる。
【００２０】
また、折り曲げ加工されたアンテナ素子１，２を台座４に設けられた複数のスナップフィット３によって組みつけるという作業は手間がかかり、量産効率上あまりよくない。しかし、図２で示されるようなアンテナ装置を完成させるため、樹脂で成型されたアンテナ素子１０，１１とカバー本体１７とを上記のような簡易な手段で組み合わせたカバー１８を台座１４に組み付ければよいので、組み付けの機械化も図ることができ、量産効率も向上する。
【００２１】
以上、本発明の好ましい実施例について詳説したが、本発明は、上述した実施例に制限されることはなく、本発明の範囲を逸脱することなく、上述した実施例に種々の変形及び置換を加えることができる。
【００２２】
例えば、図４において、台座１４に取付けられる回路基板や他のアンテナ部品等をカバー１８側に内蔵することができれば、台座１４自体も不要になる。このとき、グランドプレーンを台座として代用することによって、アンテナ装置内の閉空間は確保できる。つまり、台座１４が無くなることによって耐防塵性が低下する、という懸念もない。このグランドプレーンは、従来のアンテナ装置も有しているものであるので、部品点数が増加するということにはならない。
【００２３】
また、図３に示されるような線状のアンテナ素子を例に挙げたが、樹脂で成型された板状のアンテナ素子であってもよい。また、金属芯のまわりに樹脂をコーティングしたアンテナ素子であってもよい。
【図面の簡単な説明】
【００２４】
【図１】従来のアンテナ装置の一形態の構成を示す図である。
【図２】アンテナ装置の一形態を示す図である。
【図３】本発明のアンテナ装置で使用するアンテナ素子の一形態を示す図である。
【図４】本発明のアンテナ装置の一形態の構成を示す図である。
【符号の説明】
【００２５】
１，２  アンテナ素子
３  スナップフィット
４  台座
５，１５  留め具
１０，１１  樹脂で成型されたアンテナ素子
１４  台座
１７  カバー本体
１８  カバー
【図１】
2006109003.tif 000003
【図２】
2006109003.tif 000004
【図３】
2006109003.tif 000005
【図４】
2006109003.tif 000006